(57)【要約】  本発明は、携帯インターネットサービスシステムにおける多重ホームエージェントの同期化信号の最適化方法を提供する。本発明は、携帯インターネットサービスシステムに適用される多重ホームエージェントの同期化信号の最適化方法において、移動インターネットプロトコルの運用中に、携帯インターネット端末の現在位置にて仮のＩＰアドレスが割り当てられてホームＩＰアドレスと仮のＩＰアドレスとのバインディング情報を生成するバインディング情報生成ステップと、該生成された情報をバインディング更新メッセージに載せて多重ホームエージェントのうち１つのホームエージェントに伝送する情報伝送ステップと、前記携帯インターネット端末から前記バインディング更新メッセージを受信したホームエージェントを介してバインディングキャッシュに新たなバインディング情報を登録する情報登録ステップと、前記携帯インターネット端末の状態を判断し、判断の結果、アクティブ状態の場合、前記登録された新たなバインディング情報を他のホームエージェントのバインディング情報と同期化する同期化ステップとを含む。
2008526087.tif 000002
【特許請求の範囲】
【請求項１】
携帯インターネットサービスシステムに適用される多重ホームエージェントの同期化信号の最適化方法において、
移動インターネットプロトコルの運用中に、携帯インターネット端末の現在位置にて仮のＩＰアドレスが割り当てられてホームＩＰアドレスと仮のＩＰアドレスとのバインディング情報を生成するバインディング情報生成ステップと、
該生成された情報をバインディング更新メッセージに載せて多重ホームエージェントのうち１つのホームエージェントに伝送する情報伝送ステップと、
前記携帯インターネット端末から前記バインディング更新メッセージを受信したホームエージェントを介してバインディングキャッシュに新たなバインディング情報を登録する情報登録ステップと、
前記携帯インターネット端末の状態を判断し、判断の結果、アクティブ状態の場合、前記登録された新たなバインディング情報を他のホームエージェントのバインディング情報と同期化する同期化ステップと
を含むことを特徴とする多重ホームエージェントの同期化信号の最適化方法。
【請求項２】
前記判断の結果、前記携帯インターネット端末の状態が非アクティブ状態の場合、前記ホームエージェントのバインディング情報を同期化しないことによって同期化の周期を減少させる同期化周期減少ステップを更に含むことを特徴とする請求項１に記載の多重ホームエージェントの同期化信号の最適化方法。
【請求項３】
前記携帯インターネット端末が、
バインディング更新メッセージのフォーマットに前記携帯インターネット端末のアクティブ状態の情報ビットを含むことを特徴とする請求項１に記載の多重ホームエージェントの同期化信号の最適化方法。
【請求項４】
前記ホームエージェントが、
前記携帯インターネット端末を介してアクティブ状態情報を受信し、バインディング情報の同期化の周期の計算における変数として使用することを特徴とする請求項１に記載の多重ホームエージェントの同期化信号の最適化方法。
【請求項５】
プロセッサを備えた携帯インターネットサービスシステムに、
移動インターネットプロトコルの運用中に、携帯インターネット端末の現在位置にて仮のＩＰアドレスが割り当てられてホームＩＰアドレスと仮のＩＰアドレスとのバインディング情報を生成するバインディング情報生成機能と、
該生成された情報をバインディング更新メッセージに載せて多重ホームエージェントのうち１つのホームエージェントに伝送する情報伝送機能と、
前記携帯インターネット端末から前記バインディング更新メッセージを受信したホームエージェントを介してバインディングキャッシュに新たなバインディング情報を登録する情報登録機能と、
前記携帯インターネット端末の状態を判断し、判断の結果、アクティブ状態の場合、前記登録された新たなバインディング情報を他のホームエージェントのバインディング情報と同期化する同期化機能と
を実現させるためのプログラムを記録したことを特徴とするコンピュータ読み取り可能な記録媒体。
【請求項６】
前記判断の結果、前記携帯インターネット端末の状態が非アクティブ状態の場合、前記ホームエージェントのバインディング情報を同期化しないことによって同期化の周期を減少させる同期化周期減少機能を更に実現させるためのプログラムを記録したことを特徴とする請求項５に記載のコンピュータ読み取り可能な記録媒体。
【発明の詳細な説明】
【技術分野】
【０００１】
本発明は、携帯インターネットサービスシステムにおける多重ホームエージェントの同期化信号の最適化方法、及び当該方法を実現させるためのプログラムを記録したコンピュータ読み取り可能な記録媒体に関し、より詳細には、携帯インターネット端末の位置登録及びルーティングを多重ホームエージェントを用いて運用する場合、多重ホームエージェント間の同期化信号の周期を調節して信号の過負荷を最適化するための携帯インターネットサービスシステムにおける多重ホームエージェントの同期化信号の最適化方法、及び当該方法を実現させるためのプログラムを記録したコンピュータ読み取り可能な記録媒体に関する。
【背景技術】
【０００２】
ＩＥＴＦ（Ｉｎｔｅｒｎｅｔ  Ｅｎｇｉｎｅｅｒｉｎｇ  Ｔａｓｋ  Ｆｏｒｃｅ）のＲＦＣ３３４４及び３７７５で定義された移動インターネットプロトコル（移動ＩＰｖ４（Ｍｏｂｉｌｅ  ＩＰｖ４）又は移動ＩＰｖ６（Ｍｏｂｉｌｅ  ＩＰｖ６）プロトコル）においては、携帯インターネット端末が移動することによって変動する位置情報をホームエージェントに登録し、対応する端末が携帯インターネット端末への通信を設定する場合、まず、ホームネットワークに接続すると、ホームエージェントが携帯インターネット端末の現在位置に通信パケットをフォワード（ｆｏｒｗａｒｄ）する。
【０００３】
携帯インターネット端末の位置を記録するホームエージェントを多重に運用する場合、携帯インターネット端末が１つのホームエージェントに自体の位置情報を更新すると、この情報を受信したホームエージェントは、他のホームエージェントに記録された携帯インターネット端末の位置情報を更新するための同期化信号及び情報を送る。
【０００４】
このとき、ホームエージェントの数が増加し、位置情報の更新間隔が短い場合、このような同期化信号及び情報の伝達負荷が増大する問題が発生する。
【発明の開示】
【発明が解決しようとする課題】
【０００５】
そこで、本発明は、上記のような問題を解決するために提案されたものであり、その目的は、携帯インターネット端末のアクティブ／非アクティブ状態に応じて同期化信号及び情報の伝達の可否を決定することにより、同期化信号の周期を最適化するための携帯インターネットサービスシステムにおける多重ホームエージェントの同期化信号の最適化方法、及び当該方法を実現させるためのプログラムを記録したコンピュータ読み取り可能な記録媒体を提供することにある。
【０００６】
本発明の他の目的及び長所は、下記の説明によって理解することができ、本発明の実施形態により更に明確になるはずである。また、本発明の目的及び長所は、特許請求の範囲に示す手段及びその組み合わせにより実現され得ることが容易に分かるであろう。
【課題を解決するための手段】
【０００７】
上記の目的を達成するための本発明の方法は、携帯インターネットサービスシステムに適用される多重ホームエージェントの同期化信号の最適化方法において、移動インターネットプロトコルの運用中に、携帯インターネット端末の現在位置にて仮のＩＰアドレスが割り当てられてホームＩＰアドレスと仮のＩＰアドレスとのバインディング情報を生成するバインディング情報生成ステップと、該生成された情報をバインディング更新メッセージに載せて多重ホームエージェントのうち１つのホームエージェントに伝送する情報伝送ステップと、前記携帯インターネット端末から前記バインディング更新メッセージを受信したホームエージェントを介してバインディングキャッシュに新たなバインディング情報を登録する情報登録ステップと、前記携帯インターネット端末の状態を判断し、判断の結果、アクティブ状態の場合、前記登録された新たなバインディング情報を他のホームエージェントのバインディング情報と同期化する同期化ステップとを含んでなることを特徴とする。
【０００８】
また、本発明は、前記判断の結果、前記携帯インターネット端末の状態が非アクティブ状態の場合、前記ホームエージェントのバインディング情報を同期化しないことによって同期化の周期を減少させる同期化周期減少ステップを更に含んでなることを特徴とする。
【０００９】
一方、本発明は、プロセッサを備えた携帯インターネットサービスシステムに、移動インターネットプロトコルの運用中に、携帯インターネット端末の現在位置にて仮のＩＰアドレスが割り当てられてホームＩＰアドレスと仮のＩＰアドレスとのバインディング情報を生成するバインディング情報生成機能と、該生成された情報をバインディング更新メッセージに載せて多重ホームエージェントのうち１つのホームエージェントに伝送する情報伝送機能と、前記携帯インターネット端末から前記バインディング更新メッセージを受信したホームエージェントを介してバインディングキャッシュに新たなバインディング情報を登録する情報登録機能と、前記携帯インターネット端末の状態を判断し、判断の結果、アクティブ状態の場合、前記登録された新たなバインディング情報を他のホームエージェントのバインディング情報と同期化する同期化機能とを実現させるためのプログラムを記録したコンピュータ読み取り可能な記録媒体を提供する。
【００１０】
また、本発明は、前記判断の結果、前記携帯インターネット端末の状態が非アクティブ状態の場合、前記ホームエージェントのバインディング情報を同期化しないことによって同期化の周期を減少させる同期化周期減少機能を更に実現させるためのプログラムを記録したコンピュータ読み取り可能な記録媒体を提供する。
【発明の効果】
【００１１】
本発明は、移動ＩＰｖ４／ＩＰｖ６において、多重ホームエージェントの同期化信号及び情報の伝達負荷を最適化することにより、伝達に必要な電力及び帯域幅資源の使用を最適化することができる効果がある。
【発明を実施するための最良の形態】
【００１２】
上述した目的、特徴及び長所は、添付された図面に関する以下の詳細な説明により更に明確になるはずであり、それにより、本発明の属する技術分野における通常の知識を有する者が本発明の技術的思想を容易に実施することができるであろう。また、本発明を説明するにあたり、本発明に係る公知技術に関する具体的な説明が本発明の要旨を不明瞭にする可能性があると判断された場合、その詳細な説明を省略することにする。以下、添付された図面を参照して本発明の好ましい実施形態をより詳細に説明する。
【００１３】
図１は、本発明が適用されるインターネット端末と連動する携帯インターネットサービスシステムの構成例を示す図であって、図中の符号「１１」は携帯インターネット端末、「１２」は多重ホームエージェント、「１３」はバインディングキャッシュをそれぞれ表す。ここで、多重ホームエージェント１２は、ホームエージェント１〜ホームエージェントｎ（１２１〜１２ｎ）であり、各ホームエージェント１２１〜１２ｎは、それぞれのバインディングキャッシュであるバインディングキャッシュ１〜バインディングキャッシュｎ（１３１〜１３ｎ）を有する。
【００１４】
同図に示すように、携帯インターネットサービスのための移動ＩＰｖ４（Ｍｏｂｉｌｅ  ＩＰｖ４）又は移動ＩＰｖ６（Ｍｏｂｉｌｅ  ＩＰｖ６）プロトコルの構成要素であるホームエージェント１２を多重に構成する場合、１つのホームエージェント１２１で携帯インターネット端末１１のバインディング更新メッセージを受信すると、他のホームエージェント１２２〜１２ｎのバインディング情報を同期化するとき、携帯インターネット端末１１のアクティブ状態に応じて同期化信号の周期を調節して信号の過負荷を最適化する。
【００１５】
より詳細に説明すると、同図は、携帯インターネット端末１１の位置情報のバインディング更新構造を示すものであり、位置を移動した携帯インターネット端末１１は、現在位置にて仮のＩＰ（Ｉｎｔｅｒｎｅｔ  Ｐｒｏｔｏｃｏｌ）アドレスが割り当てられてホームＩＰアドレスと仮のＩＰアドレスとのバインディング情報を生成し、これをバインディング更新メッセージに載せて多重ホームエージェント１２のうち１つのホームエージェント１２１に伝送する。携帯インターネット端末１１からバインディング更新メッセージを受信したホームエージェント１２１は、バインディングキャッシュ１３１に新たなバインディング情報を登録する。このように、携帯インターネット端末１１からバインディング更新メッセージを受信したホームエージェント１２１は、新たなバインディング情報を他のホームエージェント１２２〜１２ｎのバインディング情報と同期化する。
【００１６】
図２は、本発明が適用される携帯インターネット端末のバインディング更新メッセージのフォーマット構造を示す図であり、図３は、本発明が適用される携帯インターネット端末のバインディング更新メッセージのフォーマットの各フィールドに関する規格を示す説明図である。
【００１７】
図４は、本発明により拡張された携帯インターネット端末のバインディング更新メッセージのフォーマット構造を示す図であって、携帯インターネット端末のアクティブ／非アクティブ状態をホームエージェントに通知するため、バインディング更新メッセージのフォーマットを拡張したメッセージのフォーマット形態を示すものである。図５は、本発明により拡張された携帯インターネット端末のバインディング更新メッセージのフォーマットの各フィールドに関する規格を示す説明図である。
【００１８】
図４及び図５に示すように、アクティブ通知ビット（ｂｉｔ）のＤ（Ｄｏｒｍａｎｔ）ビットが「０」の値にセット（ｓｅｔ）されると、携帯インターネット端末がアクティブ状態になるため、これを受信したホームエージェント１２１は、バインディング更新メッセージを受信するたびに常に他のホームエージェントに同期化信号及び情報を伝達する。
【００１９】
万一、Ｄビットが「１」の値にセットされると、携帯インターネット端末が非アクティブ状態になるため、ホームエージェントの同期化の周期を減少させる（つまり、非アクティブ状態の移動ノードがバインディング更新を行う場合、Ｄビットを「１」の値にセットして送ると、これを受信したホームエージェントは、他のホームエージェントのバインディング情報の同期を保留することによってバインディング情報の同期化の周期を減少させる）。
【００２０】
上記のように、本発明は、携帯インターネットサービスのための移動ＩＰｖ４／ＩＰｖ６の信号プロトコルの運用方法を多重ホームエージェントに適用してサービスを効率的に行うことができる長所がある。
【００２１】
以下、上記のような構成を有する本発明に係る携帯インターネットサービスシステムにおける多重ホームエージェントの同期化信号の最適化方法の動作を詳細に説明する。
【００２２】
図６は、本発明に係る携帯インターネットサービスシステムにおける多重ホームエージェントの同期化信号の最適化方法に関する一実施形態を示すフローチャートである。
【００２３】
同図に示すように、まず、移動ＩＰｖ４又は移動ＩＰｖ６プロトコルの運用中に（Ｓ６０１）、携帯インターネット端末は、現在位置にて仮のＩＰアドレスが割り当てられてホームＩＰアドレスと仮のＩＰアドレスとのバインディング情報を生成するとき、アクティブ／非アクティブ状態のビット情報を追加で生成する（Ｓ６０２）。
【００２４】
次に、生成されたバインディング情報をバインディング更新メッセージに載せるとき、携帯インターネット端末のアクティブ／非アクティブ状態情報を挿入して多重ホームエージェントのうち１つのホームエージェントに伝送する（Ｓ６０３）。
【００２５】
続いて、携帯インターネット端末からバインディング更新メッセージを受信したホームエージェントは、バインディングキャッシュに新たなバインディング情報を登録する（Ｓ６０４）。
【００２６】
その後、前記バインディング更新メッセージを受信したホームエージェントは、アクティブ／非アクティブ状態のビット情報をみて携帯インターネット端末の状態を判断する（Ｓ６０５）。
【００２７】
判断の結果（Ｓ６０５）、携帯インターネット端末の状態がアクティブ状態の場合、登録された新たなバインディング情報を他のホームエージェントのバインディング情報と同期化する（Ｓ６０６）。
【００２８】
一方、携帯インターネット端末の状態を判断した結果（Ｓ６０５）、非アクティブ状態の場合、ホームエージェントのバインディング情報を同期化しないことによって同期化の周期を減少させる（Ｓ６０７）。
【００２９】
上述した本発明の方法は、プログラムとして実現され、コンピュータ読み取り可能な形態で記録媒体（ＣＤ−ＲＯＭ、ＲＡＭ、ＲＯＭ、フロッピーディスク、ハードディスク、光磁気ディスクなど）に格納され得る。このような過程は、本発明の属する技術分野における通常の知識を有する者が容易に実施できることから、これ以上の詳細な説明は省略する。
【００３０】
以上で説明した本発明は、本発明の属する技術分野における通常の知識を有する者にとって、本発明の技術的思想を逸脱しない範囲内で様々な置換、変形及び変更が可能なため、上述した実施形態及び添付された図面により限定されるものではない。
【図面の簡単な説明】
【００３１】
【図１】本発明が適用されるインターネット端末と連動する携帯インターネットサービスシステムの構成例を示す図である。
【図２】本発明が適用される携帯インターネット端末のバインディング更新メッセージのフォーマット構造を示す図である。
【図３】本発明が適用される携帯インターネット端末のバインディング更新メッセージのフォーマットの各フィールドに関する規格を示す説明図である。
【図４】本発明により拡張された携帯インターネット端末のバインディング更新メッセージのフォーマット構造を示す図である。
【図５】本発明により拡張された携帯インターネット端末のバインディング更新メッセージのフォーマットの各フィールドに関する規格を示す説明図である。
【図６】本発明に係る携帯インターネットサービスシステムにおける多重ホームエージェントの同期化信号の最適化方法に関する一実施形態を示すフローチャートである。
【図１】
2008526087.tif 000003
【図２】
2008526087.tif 000004
【図３】
2008526087.tif 000005
【図４】
2008526087.tif 000006
【図５】
2008526087.tif 000007
【図６】
2008526087.tif 000008
【国際調査報告】
2008526087.tif 000009
2008526087.tif 000010